【事件の表示】
　特願２０１１−１９８５０６「自動販売機」拒絶査定不服審判事件〔平成２５年　４月　４日出願公開、特開２０１３−　６１７２３〕について、次のとおり審決する。
【結　論】
　本件審判の請求は、成り立たない。
【理　由】
第１．手続の経緯
　本願は、平成２３年９月１２日の出願であって、平成２７年６月２９日付けで拒絶の理由が通知され、同２７年８月２８日に意見書、補正書が提出され、平成２８年２月２３日付けで拒絶査定がされ、これに対し、同２８年５月２３日に本件審判の請求と同時に手続補正書による手続補正（以下、「本件補正」という。）がされたものである。
第２．本件補正についての補正却下の決定
［補正却下の決定の結論］
　本件補正を却下する。
［理由］
１．補正の内容の概要
　本件補正は、特許請求の範囲を含む明細書について補正をするものであって、補正前後の特許請求の範囲の請求項１の記載は、以下のとおりである。なお、下線は補正箇所を示す。
（１）補正前（平成２７年８月２８日の手続補正）
「本体キャビネットの前面を開閉する外扉に形成されたディスプレイ室と、当該ディスプレイ室に展示された複数の商品見本を照明する照明手段を備え、前記照明手段の光源として発光ダイオードを用いた自動販売機であって、前記照明手段は前記発光ダイオードを内蔵する発光ダイオード組立体からなり、当該発光ダイオード組立体にハーフタイプ若しくはフラットタイプの商品見本を展示するホルダーを一体に形成し、発光ダイオード組立体を、商品見本を展示するディスプレイ台に代えて中扉に固定したことを特徴とする自動販売機。」
（２）補正後（平成２８年５月２３日の手続補正）
「本体キャビネットの前面を開閉する外扉に形成されたディスプレイ室と、当該ディスプレイ室に展示された複数の商品見本を照明する照明手段を備え、前記照明手段の光源として発光ダイオードを用いた自動販売機であって、前記照明手段は前記発光ダイオードを内蔵する発光ダイオード組立体からなり、
前記発光ダイオード組立体は、底面が発光ダイオードからの光を透過可能な透光部として形成された下枠部材と、複数の発光ダイオードが実装され、前記発光ダイオードからの光が前記透光部に投光されるように下枠部材に固着されたプリント配線基板と、このプリント配線基板を覆うように前記下枠部材に固着される上枠部材とからなり、前記上枠部材に連ねてハーフタイプ若しくはフラットタイプの商品見本を展示するホルダーを一体に形成してなる
（３）補正事項
　本件補正のうち、特許請求の範囲の請求項１についてする補正は、補正前の請求項１に係る発明の特定事項である、「当該発光ダイオード組立体にハーフタイプ若しくはフラットタイプの商品見本を展示するホルダーを一体に形成し」を「前記発光ダイオード組立体は、底面が発光ダイオードからの光を透過可能な透光部として形成された下枠部材と、複数の発光ダイオードが実装され、前記発光ダイオードからの光が前記透光部に投光されるように下枠部材に固着されたプリント配線基板と、このプリント配線基板を覆うように前記下枠部材に固着される上枠部材とからなり、前記上枠部材に連ねてハーフタイプ若しくはフラットタイプの商品見本を展示するホルダーを一体に形成してなる」事項に変更する（補正事項１）とともに、補正前の請求項１に係る発明の特定事項である、「発光ダイオード組立体を、商品見本を展示するディスプレイ台に代えて中扉に固定した」事項を削除する（補正事項２）ものである。
２．補正の適否
　本件補正は、上記補正事項１により補正前の請求項１に係る発明の発明特定事項である発光ダイオード組立体を限定するものの、上記補正事項２により補正前の請求項１に係る発明の発明特定事項である「自動販売機」の構成を削除するものであり、該「自動販売機」の構成を限定するものではないことは明らかである。
　そうすると、本件補正は、特許法第１７条の２第５項第２号の特許請求の範囲を減縮することを目的としたものに該当せず、また同項第１号（請求項の削除）、同項第３号（誤記の訂正）及び同項第４号（明りょうでない記載の釈明）の目的にも該当しない。
３．まとめ
　したがって、本件補正は、特許法第１７条の２第５項の規定に違反するので、同法第１５９条第１項の規定において読み替えて準用する同法第５３条第１項の規定により却下すべきものである。
　よって上記［補正却下の決定の結論］のとおり、決定する。
４．予備的検討
　本件補正は、２．で検討したように、特許法第１７条の２第５項各号に掲げる事項を目的としない補正事項を含むが、請求項１に関する本件補正が特許請求の範囲の減縮を目的とするものであると仮定して、予備的に、本件補正後の請求項１（以下、「補正発明」という。）が特許出願の際独立して特許を受けることができるものであるかについて以下に検討する。
（１）補正発明
　補正発明は、特許請求の範囲、明細書、及び図面の記載からみて、上記１．（２）に示す特許請求の範囲の請求項１に記載された事項により特定されるとおりの「自動販売機」であると認める。
（２）引用文献の記載事項
（２−１）引用文献１
　原審で通知した拒絶理由で引用した本願出願日前に頒布された刊行物である特開２００９−４３１９８号公報（以下、「引用文献１」という。）には、以下の事項が記載されている。
（ア）「【０００１】
　本発明は、照明装置を備えた自動販売機に関し、特に、缶飲料等の展示用物品（商品見本）を照明する展示用物品をＬＥＤ等の発光素子により照明する照明装置を備えた自動販売機に関する。」
（イ）「【００１０】
［第１の実施の形態（自動販売機用照明装置）］
　図１は、本発明の実施の形態に係る自動販売機に使用される照明装置の分解斜視図である。
【００１１】
　照明装置１は、複数の発光素子としてのＬＥＤ２と、第１の面３ａ及び第２の面３ｂにそれぞれ所定の個数のＬＥＤ２を実装するための配線パターンが形成された１枚の長尺状の基板３と、基板３の第１の面３ａに実装されたＬＥＤ２から照射される光を外部へ照射するための上レンズ部４ａを有して光透過性材料により一体的に形成され、基板３の第１の面３ａに装着される１または２以上の上部ケース４と、基板３の第２の面３ｂに実装されたＬＥＤ２から照射される光を外部へ照射するための下レンズ部５ａを有して光透過性材料により一体的に形成され、基板３の第２の面３ｂに装着される１または２以上の下部ケース５とを有して構成されている。」
（ウ）「【００２８】
　下部ケース５は、長手方向に亘り形成された下レンズ部５ａを有し、基板３に装着可能な略箱形状として、透明なポリカーボネート（ＰＣ）により一体的に成形されている。尚、下部ケース５は、例えば、下レンズ部５ａのみを別部材で形成して、基板３に装着可能な枠体を組み合せることにより一体的に下部ケース５として形成されるものであってもよい。また、下部ケース５は、少なくとも光を透過する程度に透明であればよく、また、着色された透明部材で形成されていてもよい。」
（エ）「【００６２】
［第３の実施の形態（照明装置１を備えた自動販売機）］
　図９は、本発明の実施の形態に係る照明装置を備えた自動販売機の全体を示す正面図である。
・・・
【００６４】
　図１１Ａ，Ｂは、本発明の実施の形態に係る展示用物品の照明装置を説明するために示す図であり、（ａ）は、展示スペースの一部分を前面側から見た正面図、（ｂ）は、同じく展示スペースを右側面から見た断面図、（ｃ）は（ｂ）図における押釦１０８部分を拡大して示す詳細断面図である。尚、（ａ）図と（ｂ）図はスケール同一ではない。
（自動販売機の全体構成）
【００６５】
　図９において、自動販売機１００は、缶飲料の販売用物品を販売するための販売機本体１０２と、販売用物品に対応する照明対象としての複数の展示用物品Ｂを照明する照明装置１（第１の実施の形態または第２の実施の形態に係る照明装置１）とから大略構成されている。
【００６６】
　複数の展示用物品Ｂは、図９に示すように、１０個の展示用物品Ｂが一列に並置された複数（３群）の展示用物品群ｂ１，ｂ２，ｂ３に区分して３段に配置され、後述する背面パネル１２２の物品視認者側にステージ１２５を介して所定の位置に保持されている。
【００６７】
　展示用物品Ｂは、図１１Ａ（ａ）及び図１１Ａ（ｂ）に示すように、販売用物品を示す情報が表面に印刷表示されたプラスチック製の光透過性部材からなる半円筒または円筒によって形成されている。」
（オ）「（筐体１０４の構成）
【００６９】
　筐体１０４は、図９に示すように、前方に開口する箱体１０４Ａ及び箱体１０４Ａの前方開口部を開閉する扉体１０４Ｂを有し、全体が略矩形箱によって形成されている。
【００７０】
　箱体１０４Ａ内には、照明装置１、物品払出ユニット１０５、及び、制御ユニット１０６等を収容するための収容空間（図示せず）が形成されている。扉体１０４Ｂは、箱体１０４Ａに回動自在に枢支されている。
【００７１】
　扉体１０４Ｂの前面上部には、前面上部カバーとしての光透過性部材からなる前面パネル１０７（電照板）が配設されている。前面パネル１０７の前面部には、外部に露出する光透過性部材からなる物品選択用の押釦１０８が複数の展示用物品Ｂに対応して複数個配設されている（本実施の形態では１段につき１０個）。前面パネル１０７と背面パネル１２２との間には、展示用物品Ｂを展示するための展示スペース（内部空間）１０９が形成されている。」
（カ）「【００８８】
　基板３の第１の面３ａ上に実装されたＬＥＤ２からのＬＥＤ光は、上レンズ部４ａにより前方上方向にＬＥＤ光が照射されると共に、内側アール部４０ａ、内側曲面部４０ｃ、及び、傾斜曲面部４０ｆで全反射した光が透明な上部ケース４から上記示した方向以外にも照射される。照明装置１は、傾斜して取り付けられているので、出射されたＬＥＤ光は、展示用物品Ｂに下方向から入射し、半円筒または円筒形の展示用物品Ｂ（販売用物品を示す情報が表面に印刷表示された光透過性部材）を透過して展示用物品Ｂの前面部を効果的に照明すると共に、上記説明した全反射等により種々の方向に出射されるＬＥＤ光は、透光性の上部ケース４または下部ケース５を透過して、ステージ１２５に取り付けられた表示部１２６を背面側から照射する。また、前面パネル１０７に取り付けられた物品選択用の押釦１０８を透過して物品視認者側に照射され、押釦１０８の輪郭照明が行なわれる。」
　摘記事項（オ）の記載から、展示スペース１０９が、筐体１０４の前面を開閉する扉体１０４Ｂに形成されていることが理解できる。
　摘記事項（カ）の記載及び図１１Ａから、照明装置１が、展示スペース１０９に展示された複数の展示用物品Ｂを照明することが理解できる。
　摘記事項（イ）の記載及び図１から、照明装置１が、発光ダイオード（ＬＥＤ）を内蔵し、下部ケース５、基板３、上部ケース４とからなることが理解できる。
　摘記事項（イ）の「基板３の第１の面３ａに装着される１または２以上の上部ケース４」、「基板３の第２の面３ｂに装着される１または２以上の下部ケース５」との記載、及び図１、図１１Ａ（ｂ）、図１２から、基板３が下ケース５に装着されること、及び上ケース４及び下ケース５が基板３を覆うように基板３に装着されることにより、上ケース４及び下ケース５が組み合わされることが理解できる。
　摘記事項（ウ）の「下部ケース５は、少なくとも光を透過する程度に透明であればよく、また、着色された透明部材で形成されていてもよい。」との記載から、下部ケース５の底面がＬＥＤからの光を透過可能な透光部であることが理解できる。
　
　上記摘記事項の記載を考慮し、補正発明の記載に沿って整理すると、引用文献１には、次の発明（以下、「引用発明１」という。）が記載されていると認める。
「筐体１０４の前面を開閉する扉体１０４Ｂに形成された展示スペース１０９と、当該展示スペース１０９に展示された複数の展示用物品Ｂを照明する照明装置１を備え、前記照明装置１の光源として発光ダイオードを用いた自動販売機であって、前記照明装置１は前記発光ダイオードを内蔵する発光ダイオード組立体からなり、前記発光ダイオード組立体は、底面が発光ダイオードからの光を透過可能な透光部として形成された下ケース５と、複数の発光ダイオードが実装され、前記発光ダイオードからの光が前記透光部に投光されるように下ケース５に装着された基板３と、基板３に装着されることにより基板３を覆うように前記下ケース５に組み合わされる上ケース４とからなり、前記展示用物品Ｂは半円筒である自動販売機」
（２−２）引用文献２
　原審で通知した拒絶理由で引用した本願出願日前に頒布された刊行物である特開２００８−１２９９９７号公報（以下、「引用文献２」という。）には、以下の事項が記載されている。
（ア）「【技術分野】
【０００１】
　本発明は、例えばビン、缶またはペットボトル入り飲料等の商品を販売する自動販売機の商品サンプル照明装置に関するものである。」
（イ）「【００１４】
　商品サンプル表示部３０は、外扉２０内に設けられたサンプル室３１と、サンプル室３１内に上下複数段に設けられたサンプル台３２と、商品サンプル照明装置４０に取付けられる複数の商品サンプル３３とを備え、サンプル台３２には商品サンプル照明装置４０が取付けられる。・・・各商品サンプル３３は、例えば缶入り飲料の形状を有し、背面側及び下面側の一部を開口した光透過性の樹脂によって中空状に形成されている。また、商品サンプル３３の下端には商品サンプル照明装置４０に取付けるための取付部材３３ａが設けられている。
【００１５】
　商品サンプル照明装置４０は、複数の商品サンプル３３を保持する照明ケース４１と、照明ケース４１の背面側に設けられた基板４２と、基板４２に取付けられた第１及び第２の発光体４３，４４とを備え、照明ケース４１はサンプル台３２のサンプル配置面３２ａに斜め上方を臨むように固定されている。照明ケース４１は薄型の箱状に形成された透明のアクリルからなり、その前面には商品サンプル３３の取付部をなす開口部４１ａが設けられている。即ち、商品サンプル３３の取付部材３３ａを開口部４１ａの下端縁に係合することにより、商品サンプル３３が着脱自在に取付けられるようになっている。」
（ウ）図４から、商品サンプル３３の取付部材３３ａが、照明ケース４１の上側に連ねて取り付けられることが見て取れる。
　上記摘記事項及び図４等から、引用文献２には、以下の事項が記載されていると認める。
「自動販売機の商品サンプル照明装置において、商品サンプルの取付部材を照明ケースに連ねて取り付けること」（以下、「引用文献２事項」という。）
（３）対比
　補正発明と引用発明１とを対比すると、引用発明１の「筐体１０４」は補正発明の「本体キャビネット」に相当する。以下同様に、「扉体１０４Ｂ」は「外扉」に、「展示スペース１０９」は「ディスプレイ室」に、「展示用物品Ｂ」は「商品見本」に、「照明装置１」は「照明手段」に、「下ケース５」は「下枠部材」に、「基板３」は「プリント配線基板」に、「上ケース４」は「上枠部材」に、「半円筒」は「ハーフタイプ」に相当する。
　また、「装着」及び「固着」は、部品を他の部品に固定することであるから、同義である。
　したがって、補正発明と引用発明１は、以下の点で一致する。
［一致点］本体キャビネットの前面を開閉する外扉に形成されたディスプレイ室と、当該ディスプレイ室に展示された複数の商品見本を照明する照明手段を備え、前記照明手段の光源として発光ダイオードを用いた自動販売機であって、前記照明手段は前記発光ダイオードを内蔵する発光ダイオード組立体からなり、前記発光ダイオード組立体は、底面が発光ダイオードからの光を透過可能な透光部として形成された下枠部材と、複数の発光ダイオードが実装され、前記発光ダイオードからの光が前記透光部に投光されるように下枠部材に固着されたプリント配線基板と、上枠部材とからなり、前記商品見本はハーフタイプである自動販売機。
　そして、補正発明と引用発明１は、以下の点で相違する。
［相違点１］補正発明は、上枠部材がプリント配線基板を覆うように下枠部材に固着されるのに対し、引用発明１は、上ケース４が基板３に装着されることにより基板３を覆うように下ケース５に組み合わされる点。
［相違点２］補正発明は、上枠部材に連ねて商品見本を展示するホルダーを一体に形成してなるのに対し、引用発明１は、上ケース４が商品見本を展示するホルダーを有しない点。
（４）相違点についての検討及び判断
　上記相違点１について検討する。
　上ケース４と下ケース５の固定を、内蔵する基板３を介して固定するか、上ケース４と下ケース５を直接固着するかは、当業者が適宜選択し得る設計上の択一的選択事項にすぎない。
　したがって、引用発明１の上ケースを、相違点１に係る構成とすることは、当業者が容易になし得たことである。
　次に、上記相違点２について検討する。
　引用発明１と引用文献２事項は、いずれも自動販売機の照明装置であり、技術分野が共通するから、引用発明１に引用文献２事項を適用することは当業者が容易に想到し得たことである。
　そして、引用発明１に引用文献２事項を適用すると、引用発明１の発光ダイオード組立体の上ケース４に連なるように商品サンプルの取付部材を設けることとなる。
　ここで、当該取付部材を組立体と一体に形成するか、別体を取り付けるようにするかは、当業者が適宜選択し得る設計上の択一的選択事項である。
　したがって、引用発明１に引用文献２事項を適用して相違点２に係る構成とすることは、当業者が容易になし得たことである。
　また、補正発明によってもたらされる効果も、引用発明１及び引用文献２事項から予測できるものであって顕著なものではない。
（５）まとめ
　以上のとおりであるので、補正発明は、引用発明１及び引用文献２事項に基づいて当業者が容易に発明をすることができたものである。
　よって、本件補正が、仮に特許請求の範囲の減縮を目的とするものであったとしても、特許法第１７条の２第６項で準用する同法第１２６条第７項の規定に違反するものであり、同法１５９条第１項で読み替えて準用する同法第５３条第１項の規定により却下されるべきものである。
第３　本件出願の発明について
１．本件出願の発明
　本件補正は、上記のとおり却下されたので、本件出願の請求項に係る発明は、平成２７年８月２８日付け手続補正書により補正された特許請求の範囲、明細書及び願書に添付した図面の記載からみて、その特許請求の範囲の請求項１ないし請求項９に記載された事項により特定されるとおりのものであると認められるところ、請求項１に係る発明（以下「本件出願の発明」という。）は、上記第２の１．（１）に示す特許請求の範囲の請求項１に記載されたとおりの「自動販売機」である。
 　 
 ２．原査定引用例 
（１）原査定引用例１  
　原審の拒絶理由に引用文献１として引用された、特開２００８−１２９９９７号公報（以下、「原査定引用例１」という。）には、図面とともに以下の事項が記載されている。
（ア）「【技術分野】
【０００１】
　本発明は、例えばビン、缶またはペットボトル入り飲料等の商品を販売する自動販売機の商品サンプル照明装置に関するものである。」
（イ）「【００１１】
　この自動販売機は、商品を収納する自動販売機本体１０と、自動販売機本体１０の前面に設けられた外扉２０と、外扉２０の前面に設けられた商品サンプル表示部３０とを備え、商品サンプル表示部３０には商品サンプル照明装置４０が設けられている。」
（ウ）「【００１４】
　商品サンプル表示部３０は、外扉２０内に設けられたサンプル室３１と、サンプル室３１内に上下複数段に設けられたサンプル台３２と、商品サンプル照明装置４０に取付けられる複数の商品サンプル３３とを備え、サンプル台３２には商品サンプル照明装置４０が取付けられる。サンプル室３１の前面は透明パネル３１ａによって覆われており、透明パネル３１ａには商品選択スイッチ２１が取付けられている。サンプル台３２は前面が斜め上方を臨むように後方に傾斜したサンプル配置面３２ａを有し、サンプル室３１の背面板３１ｂに固定されている。サンプル台３２の前端下部には冷温表示板３４を保持する保持部３２ｂが設けられ、冷温表示板３４の表面と裏面にはそれぞれコールド商品及びホット商品を表す文字及び色が表示されている。各商品サンプル３３は、例えば缶入り飲料の形状を有し、背面側及び下面側の一部を開口した光透過性の樹脂によって中空状に形成されている。また、商品サンプル３３の下端には商品サンプル照明装置４０に取付けるための取付部材３３ａが設けられている。
【００１５】
　商品サンプル照明装置４０は、複数の商品サンプル３３を保持する照明ケース４１と、照明ケース４１の背面側に設けられた基板４２と、基板４２に取付けられた第１及び第２の発光体４３，４４とを備え、照明ケース４１はサンプル台３２のサンプル配置面３２ａに斜め上方を臨むように固定されている。照明ケース４１は薄型の箱状に形成された透明のアクリルからなり、その前面には商品サンプル３３の取付部をなす開口部４１ａが設けられている。即ち、商品サンプル３３の取付部材３３ａを開口部４１ａの下端縁に係合することにより、商品サンプル３３が着脱自在に取付けられるようになっている。照明ケース４１の前面内側には、図４に示すように多数のプリズムからなる光拡散部４１ｂが設けられ、光拡散部４１ｂは照明ケース４１のほぼ前面側全体に亘って形成されている。第１の発光体４３は白色で発光する周知のＬＥＤからなり、各商品サンプル３３の内側（背面側）に位置するように基板４２に上下二箇所ずつ設けられている。第２の発光体４４は赤色、緑色、青色等、複数の有彩色の発光が可能な周知のＲＧＢＬＥＤからなり、各商品サンプルの外部近傍（幅方向両側）に位置するように基板４２に上下二箇所ずつ設けられている。」
（エ）図４から、商品サンプル３３の取付部材３３ａが、商品サンプル照明装置４０の照明ケース４１に取り付けられることが見て取れる。
　摘記事項（イ）の記載及び摘記事項（ウ）の「商品サンプル表示部３０は、外扉２０内に設けられたサンプル室３１と、」との記載から、自動販売機本体１０の前面を開閉する外扉２０にサンプル室３１が形成されることが理解できる。
　摘記事項（ウ）の記載から、商品サンプル照明装置４０は、発光ダイオードを内蔵し、基板４３及び照明ケース４１からなる組立体であり、サンプル室３１に展示された複数の商品サンプル３３を照明するものといえる。
　
　上記摘記事項の記載、及び上記認定事項、並びに図示内容を考慮し、本件出願の発明の記載に沿って整理すると、原査定引用例１には、次の発明（以下、「原査定引用発明１」という。）が記載されていると認める。
「自動販売機本体１０の前面を開閉する外扉２０に形成されたサンプル室３１と、当該サンプル室３１に展示された複数の商品サンプル３３を照明する商品サンプル照明装置４０を備え、前記商品サンプル照明装置４０の光源として発光ダイオードを用いた自動販売機であって、前記商品サンプル照明装置４０は前記発光ダイオードを内蔵する組立体からなり、当該組立体に商品サンプル３３の取付部材３３ａが取り付けられる自動販売機」
（２）原査定引用例２
　原審の拒絶理由に引用文献２として引用された、特開２００７−２９３４８３号公報（以下、「原査定引用例２」という。）には、図面とともに以下の事項が記載されている。
（ア）「【００２７】
　図１において、自動販売機本体３０の前面に外扉３１が開閉自在に備えられ、外扉３１の前面部には、商品見本パネル３２を展示した商品展示部３３が構成されている。商品展示部３３は、樹脂製の透明板で形成された矩形状の化粧パネル３４が個々に独立形成されて構成されている。図１の場合、複数個の化粧パネル３４が群となって、外扉３１の左右に分かれて構成され、その間に広告パネル３５を形成している。また商品見本パネル３２は紙や樹脂プレートに商品のイメージ体がプリントされたものである。各々の化粧パネル３４の下部には商品選択ボタン３８が構成されている。」
（イ） 図１及び図２から、商品見本パネル３２がフラットタイプの商品見本であることが見て取れる。
　上記摘記事項及び図示内容から、原査定引用例２には、以下の事項が記載されていると認める。
「自動販売機において、フラットタイプの商品見本を展示すること」（以下、「原査定引用例２事項」という。）
３．対比
　本件出願の発明と原査定引用発明１とを対比すると、原査定引用発明１の「自動販売機本体１０」は本件出願の発明の「本体キャビネット」に相当する。以下同様に、「サンプル室３１」は「ディスプレイ室」に、「商品サンプル３３」は「商品見本」に、「商品サンプル照明装置４０」は「照明手段」に、「組立体」は「発光ダイオード組立体」に相当する。また、「取付部材３３ａ」は「ホルダー」に相当するから、原査定引用発明１の「当該組立体に商品サンプル３３の取付部材３３ａが取り付けられる」と本件出願の発明の「当該発光ダイオード組立体にハーフタイプ若しくはフラットタイプの商品見本を展示するホルダーを一体に形成し」は、自動販売機が商品見本を展示するホルダーを有する点で一致する。
　したがって、本件出願の発明と原査定引用発明１は、以下の点で一致する。
［一致点］本体キャビネットの前面を開閉する外扉に形成されたディスプレイ室と、当該ディスプレイ室に展示された複数の商品見本を照明する照明手段を備え、前記照明手段の光源として発光ダイオードを用いた自動販売機であって、前記照明手段は前記発光ダイオードを内蔵する発光ダイオード組立体からなり、商品見本を展示するホルダーを有する自動販売機。
　
　そして、本件出願の発明と原査定引用発明１は、以下の点で相違する。
［相違点１］本件出願の発明は、発光ダイオード組立体にハーフタイプ若しくはフラットタイプの商品見本を展示するホルダーを一体に形成するのに対し、原査定引用発明１は、組立体に商品サンプル３３の取付部材３３ａが取り付けられる点。
［相違点２］本件出願の発明は、発光ダイオード組立体を中扉に固定したのに対し、原査定引用発明１は、そのようなものか不明である点。
４．相違点についての検討及び判断
（１）相違点１について
　原査定引用発明１と原査定引用文献２事項は、いずれも自動販売機の商品見本の展示に関するものであり、技術分野が共通するから、原査定引用発明１に原査定引用文献２事項を適用することは、当業者が容易に想到し得たことである。
　そして、原査定引用発明１に原査定引用文献２事項を適用すると、組立体にフラットタイプの商品見本の取付部材が取り付けられることとなる。
　ここで、当該取付部材を組立体と一体に形成するか、別体を取り付けるようにするかは、当業者が適宜選択し得る設計上の択一的選択事項である。
　したがって、原査定引用発明１に原査定引用文献２事項を適用して相違点１に係る発明特定事項とすることは、当業者が容易になし得たことである。
（２）相違点２について
　自動販売機において、商品見本を照明する照明手段を内扉３（本願の中扉に相当）に固定することは、例えば、原査定で例示した特開平５−１２５５３号公報（特に、段落【００１０】【００１２】〜【００１５】及び図１、図５を参照。）に示されているように周知の事項であるから、原査定引用発明１の商品サンプル照明装置の組立体の固定先として当該周知の事項を採用して、相違点２に係る発明特定事項とすることは、当業者が容易に想到し得たことである。
（３）本件出願の発明の効果について
　本件出願の発明によってもたらされる効果も、原査定引用発明１、原査定引用文献２事項、及び上記周知の事項から当業者であれば予測できる程度のものであって格別なものではない。
（４）小括
　よって、本件出願の発明は、原査定引用発明１、原査定引用文献２事項、及び上記周知の事項から当業者が容易に発明をすることができたものである。
５．まとめ
　したがって、本件出願の発明は、特許法第２９条第２項の規定により特許を受けることができない。
　よって、本件出願のその余の請求項に係る発明について検討するまでもなく、本件出願は拒絶されるべきであるから、結論のとおり審決する。